(57)【要約】【課題】  トレイの高さを調整可能なカップホルダを提供する。【解決手段】  カップホルダ１０は、ホルダ本体１とトレイ２と高さ調整手段３とを有する。高さ調整手段は、トレイに回動可能に保持されたロック部材７と、ホルダ本体の側壁１１ｄに形成されロック部材を上下方向に移動可能とするガイド溝１１ｊと、側壁におけるガイド溝に面する溝側面に形成されロック部材を係止させることでトレイを下位置に保持させる下側係止凹部１１ｍと、溝側面における下側係止凹部よりも上側に形成されロック部材を係止させることでトレイを上位置に保持させる上側係止凹部１１ｎと、ロック部材を下側係止凹部又は上側係止凹部に係止させる係止方向に付勢する係止付勢部材６と、トレイが下位置に位置しているときロック部材の下側係止凹部への係止を解除する操作部材８と、トレイを上側に向けて付勢する移動付勢部材５とを有する。【選択図】  図１
2015136976.tif 000002
【特許請求の範囲】
【請求項１】
側壁に囲まれた収容空間を有する筒状のホルダ本体と、収容空間に収容されて、第１位置と、前記第１位置と上下方向の位置が異なる第２位置との間を上下移動可能に保持されたトレイと、トレイを上下移動させ前記第１位置又は前記第２位置に保持させる高さ調整手段と、を有するカップホルダであって、
前記高さ調整手段は、前記トレイに回動可能に保持されたロック部材と、前記ホルダ本体の側壁に形成され前記ロック部材を上下方向に移動可能とするガイド溝と、前記ホルダ本体の側壁における前記ガイド溝に面する溝側面に形成され前記ロック部材を係止させることで前記トレイを前記第１位置に保持させる第１係止凹部と、前記ホルダ本体の前記溝側面における前記第１係止凹部と上下方向の位置が異なる部分に形成され前記ロック部材を係止させることで前記トレイを前記第２位置に保持させる第２係止凹部と、前記ロック部材を前記第１係止凹部又は前記第２係止凹部に係止させる係止方向に前記ロック部材を付勢する係止付勢部材と、前記トレイが前記第１位置に位置しているとき前記係止方向と反対側の解除方向に前記ロック部材を回動させることで前記ロック部材の前記第１係止凹部への係止を解除する操作部材と、前記第１係止凹部への係止から解除した前記ロック部材を前記ガイド溝を通じて前記第２係止凹部に向けて上下移動させるように前記トレイを前記第１位置から前記第２位置に向けて付勢する移動付勢部材と、を有することを特徴とするカップホルダ。
【請求項２】
前記操作部材は、操作されたときに前記ロック部材を前記解除方向に回動させるテーパ部を有する請求項１記載のカップホルダ。
【請求項３】
前記ロック部材は、径方向外側に延びる突起部をもち、前記突起部が前記第１係止凹部又は前記第２係止凹部に係止されることで前記トレイを前記第１位置又は前記第２位置に保持している請求項１又は２に記載のカップホルダ。
【請求項４】
前記ロック部材は、周方向に配列する複数の前記突起部をもち、前記ホルダ本体の側壁には、前記突起部に対向する位置にそれぞれ前記ガイド溝、前記第１係止凹部、及び前記第２係止凹部が形成されている請求項３に記載のカップホルダ。
【請求項５】
前記ロック部材は、前記第２係止凹部の開口周縁に当接する傾斜部をもつ請求項１〜４のいずれか１項に記載のカップホルダ。
【発明の詳細な説明】
【技術分野】
【０００１】
本発明は、飲料容器の底部を保持するトレイが上下移動可能なカップホルダに関する。
【背景技術】
【０００２】
車両の車室内には、カップホルダが装着されている。カップホルダは、さまざまな高さの飲料容器が収容される。飲料容器の高さに応じて、カップホルダの底部を上下移動させる工夫がされている。
【０００３】
例えば、特許文献１には、底板にばねを設けて、カップの荷重に応じて底板を上下移動させることが開示されている。特許文献２には、底板のネジ孔にスクリューシャフトを嵌挿させて、操作部材の移動量に応じてスクリューシャフトを回転させて、底板を上下移動させることが開示されている。特許文献３には、側壁部に凹条部又は凸条部が縦断面略鋸状の多数の係止爪を有し、底受け部に形成した係止片は任意の高さで係止爪に係脱可能に係止していることが開示されている。特許文献４には、トレイに形成したロック爪を、ホルダ本体の高さの異なる２つのロック溝のいずれかに係脱することが開示されている。
【先行技術文献】
【特許文献】
【０００４】
【特許文献１】特開２０１０−２１５０７３号公報
【特許文献２】特開２００７−１９６８８４号公報
【特許文献３】特開２００３−４８４７２号公報
【特許文献４】特開２００２−３６２２１２号公報
【発明の概要】
【発明が解決しようとする課題】
【０００５】
上記のようにカップホルダのトレイの高さを調整する機構は様々なものがあった。発明者は、新規な構成でトレイの高さを調整可能なカップホルダを開発した。
【０００６】
本発明はかかる事情に鑑みてなされたものであり、トレイの高さを調整可能なカップホルダを提供することを課題とする。
【課題を解決するための手段】
【０００７】
（１）本発明のカップホルダは、側壁に囲まれた収容空間を有する筒状のホルダ本体と、収容空間に収容されて、第１位置と、前記第１位置と上下方向の位置が異なる第２位置との間を上下移動可能に保持されたトレイと、トレイを上下移動させ前記第１位置又は前記第２位置に保持させる高さ調整手段と、を有するカップホルダであって、前記高さ調整手段は、前記トレイに回動可能に保持されたロック部材と、前記ホルダ本体の側壁に形成され前記ロック部材を上下方向に移動可能とするガイド溝と、前記ホルダ本体の側壁における前記ガイド溝に面する溝側面に形成され前記ロック部材を係止させることで前記トレイを前記第１位置に保持させる第１係止凹部と、前記ホルダ本体の前記溝側面における前記第１係止凹部と上下方向の位置が異なる部分に形成され前記ロック部材を係止させることで前記トレイを前記第２位置に保持させる第２係止凹部と、前記ロック部材を前記第１係止凹部又は前記第２係止凹部に係止させる係止方向に前記ロック部材を付勢する係止付勢部材と、前記トレイが前記第１位置に位置しているとき前記係止方向と反対側の解除方向に前記ロック部材を回動させることで前記ロック部材の前記第１係止凹部への係止を解除する操作部材と、前記第１係止凹部への係止から解除した前記ロック部材を前記ガイド溝を通じて前記第２係止凹部に向けて上下移動させるように前記トレイを前記第１位置から前記第２位置に向けて付勢する移動付勢部材と、を有することを特徴とする。
【０００８】
上記構成のカップホルダは、ホルダ本体の収容空間に設けたトレイと、トレイの高さを調整する高さ調整手段とを有する。高さ調整手段のロック部材は、トレイに回動可能に設けられていて、トレイの上下移動に伴ってロック部材も上下に動く。ロック部材は、係止付勢部材により第１係止凹部又は第２係止凹部に係止する係止方向に付勢されている。第１係止凹部にロック部材が係止されているときには、トレイは第１位置に保持されている。第２係止凹部にロック部材が係止されているときには、トレイは第２位置に保持されている。
【０００９】
ここで、第１位置にトレイが保持されているときに、操作部材によりロック部材の第１係止凹部への係止を解除すると、移動付勢部材によりトレイが第１位置から第２位置に移動される。これにともない、トレイに設けられているロック部材は、ガイド溝にガイドされながら第２係止凹部に向けて移動し、第２係止凹部に係止される。トレイは第２位置で保持される。
【００１０】
第２位置にトレイが保持されているときに、ロック部材の第２係止凹部への係止を解除し、第２位置から第１位置に向かう方向にトレイに荷重を加えると、トレイが第２位置から第１位置に移動される。これにともない、トレイに設けられているロック部材は、ガイド溝にガイドされながら下方に移動し、第１係止凹部に係止される。トレイは第１位置で保持される。
【００１１】
以上のように、本発明によれば、操作部材の操作によりロック部材を第１係止凹部への係止から解除する解除方向にロック部材を回動させると、トレイが上下移動可能となり、トレイを第１位置から第２位置に移動させることができる。簡素な構成でトレイの高さを調整することができる。
【００１２】
（２）前記操作部材は、操作されたときに前記ロック部材を前記解除方向に回動させるテーパ部を有することが好ましい。操作部材の操作により、操作部材のテーパ部がロック部材を解除方向に回動させ、ロック部材の係止を円滑に解除することができる。
【００１３】
（３）前記ロック部材は、径方向外側に延びる突起部をもち、前記突起部が前記第１係止凹部又は前記第２係止凹部に係止されることで前記トレイを前記第１位置又は前記第２位置に保持していることが好ましい。
【００１４】
ロック部材の突起部は、第１係止凹部又は前記第２係止凹部に確実に係止される。トレイを第１位置又は第２位置に確実に保持することができる。
【００１５】
（４）前記ロック部材は、周方向に配列する複数の前記突起部をもち、前記ホルダ本体の側壁には、前記突起部に対向する位置にそれぞれ前記ガイド溝、前記第１係止凹部、及び前記第２係止凹部が形成されていることが好ましい。
【００１６】
複数の突起部がロック部材の周方向に配列しており、各突起部がそれぞれ第１係止凹部又は前記第２係止凹部に係止されることで、トレイをホルダ本体の第１係止凹部又は前記第２係止凹部に安定に保持することができる。
【００１７】
（５）前記ロック部材は、前記第２係止凹部の開口周縁に当接する傾斜部をもつことが好ましい。ロック部材に傾斜部を形成し、傾斜部を第２係止凹部の開口周縁に係止させることで、トレイに押し込み荷重を加えたときに、押し込み荷重の傾斜部に沿った分力により第２係止凹部から離脱させて、ロック部材の第２係止凹部への係止が解除される。この状態で更にトレイを押しこむと、トレイが第２位置から第１位置に移動させることができる。簡素な構成により、ロック部材の第２係止凹部への係止を解除することができる。
【発明の効果】
【００１８】
本発明のカップホルダにおいては、操作部材の操作によりロック部材の第１係止凹部への係止が解除されると、ロック部材はガイド溝に沿って第２係止凹部に向けて上下移動する。このため、トレイの高さを調整することができる。
【図面の簡単な説明】
【００１９】
【図１】本発明の第１実施形態において、下位置にトレイが位置するときのカップホルダの断面図である。
【図２】第１実施形態のカップホルダの斜視図である。
【図３】第１実施形態に係るカップホルダの分解斜視図である。
【図４】第１実施形態において、図１のＡ−Ａ矢視断面図である。
【図５】第１実施形態において、ロック時の操作部材とロック部材を示す部分斜視図である。
【図６】第１実施形態において、ロック解除時の操作部材とロック部材を示す部分斜視図である。
【図７】第１実施形態において、上位置にトレイが位置するときのカップホルダの断面図である。
【図８】第１実施形態の、ガイド溝を移動する突起部を示す説明図である。
【図９】第２実施形態のカップホルダの斜視図である。
【図１０】第２実施形態において、操作部材の分解斜視図である。
【図１１】第２実施形態において、下位置にトレイが位置するときのカップホルダの断面図である。
【図１２】第２実施形態において、上位置にトレイが位置するときのカップホルダの断面図である。
【発明を実施するための形態】
【００２０】
（第１実施形態）
本発明の第１実施形態に係るカップホルダについて図面を用いて詳細に説明する。
【００２１】
図１、図２に示すように、カップホルダ１０は、ホルダ本体１と、トレイ２と、トレイ２の高さを調整し下位置（第１位置）又は上位置（第２位置）で保持する高さ調整手段３とを有する。ホルダ本体１は、円筒形状の本体部１１と、本体部１１の上側に固定される上板１２と、リング部材１３とを有する。
【００２２】
本体部１１は、軸方向（上下方向）の両側に開口１１ａ、１１ｂをもち、上側の開口１１ａの周縁にはフランジ部１４が形成されている。本体部１１の内部には、収容空間１１ｃが形成されている。収容空間１１ｃは、本体部１１の収容空間１１ｃを囲む側壁１１ｄにより囲まれている。図３に示すように、本体部１１は、側壁１１ｄを軸方向に沿って２分割することで形成された第１部材１１ｅと第２部材１１ｆからなる。第１部材１１ｅと第２部材１１ｆは、側壁１１ｄの分割線に沿った合わせ部１１ｇ、１１ｈをもつ。第１部材１１ｅの合わせ部１１ｇと第２部材１１ｆの合わせ部１１ｈとを当接させた状態で、本体部１１の底部にキャップ１６を嵌合させる。キャップ１６は、円板形状の底部１６ａと、底部１６ａの周縁から立設された周壁１６ｂとをもつ。底部１６ａと周壁１６ｂにより囲まれた空間に、第１部材１１ｅと第２部材１１ｆの下部とを嵌合することにより、第１部材１１ｅと第２部材１１ｆとが一体化される。
【００２３】
ホルダ本体１のフランジ部１４は、上板１２により被覆されている。上板１２には、本体部１１に形成された開口１１ａと同一形状の開口１２ａがあいている。図１に示すように、リング部材１３は、環状をなし、上板１２の開口１２ａを囲む内面を被覆するリング部１３ａと、リング部１３ａの上側に径方向外側に拡がり上板１２の開口１２ａの周縁を被覆する被覆部１３ｂとをもつ。リング部材１３は、下方に突出する突起部１３ｃが複数個所形成されている。本体部１１の開口１１ａの周縁に形成された係止穴１１ｉに突起部１３ｃを嵌挿することで、上板１２を本体部１１に一体的に固定している。
【００２４】
トレイ２は、ホルダ本体１の収容空間１１ｃに収容されている。トレイ２は、円形状の底部２１と、底部２１の周縁で上方に延び円形状に連続して形成された周壁２２と、周壁２２の周方向の３か所に設けられた支柱壁２３とをもつ。トレイ２の底部２１には、収容空間１１ｃに収容される飲料容器が載せられる。
【００２５】
図３に示すように、高さ調整手段３は、ホルダ本体１に設けたガイド溝１１ｊ、下側係止凹部１１ｍ（第１係止凹部）、及び上側係止凹部１１ｎ（第２係止凹部）と、移動付勢部材５と、係止付勢部材６と、ロック部材７と、操作部材８とを有する。
【００２６】
ホルダ本体１の本体部１１の側壁１１ｄには、周方向に略等間隔に配置された３つのガイド溝１１ｊが形成されている。ガイド溝１１ｊは、円筒状の本体部１１の軸方向に沿って、上下方向に延びている。各ガイド溝１１ｊの周方向の両側は、側壁１１ｄの溝側面１１ｐ、１１ｐにより囲まれている。側壁１１ｄのガイド溝１１ｊの左右両側を囲む一対の溝側面１１ｐ、１１ｐのうち左側（反時計方向）の溝側面１１ｐには、下方に形成された下側係止凹部１１ｍと、下側係止凹部１１ｍよりも上側で溝側面１１ｐの長手方向の略中央に形成された上側係止凹部１１ｎとが形成されている。
【００２７】
トレイ２の底部２１は、ホルダ本体１の収容空間１１ｃに配置されている。トレイ２の支柱壁２３は、ホルダ本体１の本体部１１に形成されたガイド溝１１ｊよりも径方向外側に位置していて、ガイド溝１１ｊを外周側から被覆している。トレイ２が下位置に位置しているときには、支柱壁２３の下端が本体部１１の下端に位置させることを許容するために、底部のキャップ１６の周壁１６ｂには切欠き１６ｃが形成されている。
【００２８】
トレイ２の３つの支柱壁２３のうち１の支柱壁２３の側面には、上下方向に直線状に延びるラック２４が形成されている。ホルダ本体１の３つのガイド溝１１ｊのうち１のガイド溝１１ｊの近傍には、嵌合穴１１ｑが形成されている。嵌合穴１１ｑには、ダンパ装置１５が嵌合されて固定されている。ダンパ装置１５は、ピニオン１５ａが形成されている。ピニオン１５ａは、支柱壁２３のラック２４と噛合している。これにより、トレイ２が上下方向に移動するときに、トレイ２の直線往復動が適度に緩衝される。
【００２９】
図１に示すように、トレイ２とホルダ本体１との間には、トレイ２を下位置から上位置に向けて上下方向の上側に付勢する移動付勢部材５が設けられている。移動付勢部材５は、引張コイルばねである。移動付勢部材５の下端は、トレイ２の支柱壁２３の下端部に形成された係止部２５に係止されており、移動付勢部材５の上端は、ホルダ本体１の側壁１１ｄの外面から突出する係止部１１ｒに係止されている。
【００３０】
トレイ２の底部２１の裏面側には、ロック部材７と保持部材７８とが設けられている。ロック部材７は、トレイ２の底部２１の周縁に沿って連続して周方向に延びる基部７１と、基部７１から周方向の３か所に突出する突起部７２とをもつ。ロック部材７は、トレイ２の底部２１と保持部材７８との間に保持されている。保持部材７８は、リング形状をなし、トレイ２の底部２１の周縁に沿って連続している。
【００３１】
保持部材７８には、数か所に孔部７８ｂが形成されている。ロック部材７における孔部７８ｂに対応する位置には、孔部７８ｂよりも大きく周方向に遊びをもつ開口部７３をもつ。図４に示すように、トレイ２の底部２１の裏面中心から突出する保持部２６が、開口部７３を貫通して保持部材７８の孔部７８ｂに嵌合されることで、ロック部材７は、トレイ２と保持部材７８との間に回動可能に保持されている。
【００３２】
図４に示すように、トレイ２の底部２１には、係止付勢部材６が設けられている。係止付勢部材６はトーションばねであり、複数回巻回してなる巻回部６１と、巻回部６１の一端側に延びる第１アーム部６２と、巻回部６１の他端側に延びる第２アーム部６３とを有する。巻回部６１は、底部２１の中止部において下方に突出する支持部２６に外嵌されている。係止付勢部材６の第１アーム部６２はトレイ２の底部２１から突出する係止部２７に係止されており、第２アーム部６３はロック部材７の上側に凹設された係止部７４に係止されている。係止付勢部材６は、ロック部材７をトレイ２に対して図４で示す時計方向（係止方向）に付勢している。
【００３３】
図１、図３に示すように、操作部材８は、長尺部材であり、ホルダ本体１の本体部１１よりも外側に配置されている。操作部材８は、操作部８１と、操作部８１の下方に延びる伝達部８２と、伝達部８２の下方先端に設けた作動部８３とを有する。操作部８１は、ホルダ本体１のフランジ部１４に形成した穴部１４ｂ、及び上板１２に形成された穴部１２ｂに進退可能に配設されている。伝達部８２は、ホルダ本体１の本体部１１の外側に形成した支持部１１ｓに上下動可能に支持されている。
【００３４】
図５は、ロック時の操作部材とロック部材を示す部分斜視図である。図６は、ロック解除時の操作部材とロック部材を示す部分斜視図である。図５、図６は、いずれもトレイを取り除いてロック部材とガイド溝周辺の部分を表わしている。
【００３５】
図５に示すように、操作部材８の作動部８３は、伝達部８２よりも径方向内側に突き出していて、作動部８３の周方向に向く側面にはテーパ部８４が形成されている。作動部８３は、ホルダ本体１の下側係止凹部１１ｍの近傍の径方向外側に配置されている。作動部８３に形成されたテーパ部８４は、上方向に向けて下側係止凹部１１ｍの奥から開口側、即ちガイド溝１１ｊに近づく方向に傾斜していて、操作部材８が下向きに押しこまれて操作されたときにロック部材７を下側係止凹部１１ｍから離脱させる。作動部８３の下部は、本体部１１に形成された座部１１ｔとの間に圧縮ばね９が介設されていて、操作部材８が下方に押されたときに操作部材８の下方向への移動を緩和している。
【００３６】
本実施形態のカップホルダの作動について説明する。図１に示すカップホルダ１０は、トレイ２が下位置（第１位置）に保持されているときの状態を示している。トレイ２が下位置に位置しているときには、係止付勢部材６の図４の時計回り方向（係止方向）の付勢力により、ロック部材７の突起部７２は、ホルダ本体１の下側係止凹部１１ｍに係止されていて、トレイ２を下位置に保持している。
【００３７】
図１に示すように、操作部材８の操作部８１を下方に押しこむと、操作部材８の作動部８３が下方向に移動される。作動部８３の下方向への移動により、テーパ部８４がロック部材７の突起部７２に当たり、突起部７２を図４の反時計回り方向（解除方向）に回動させて、ホルダ本体１の下側係止凹部１１ｍの係止状態を解除させる。トレイ２は、移動付勢部材５により常時上方向に付勢されている。突起部７２の下側係止凹部１１ｍからの離脱により、トレイ２に加わっている移動付勢部材５による上方への付勢力により、突起部７２をもつロック部材７は、トレイ２とともに、ガイド溝１１ｊに沿って上側に移動される。
【００３８】
図７に示すように、ロック部材７の突起部７２が上側係止凹部１１ｎに位置すると、ロック部材７に常時加わる係止付勢部材６の図４の時計回り方向（係止方向）の付勢力により、ロック部材７の突起部７２が上側係止凹部１１ｎに係止される。トレイ２は上位置（第２位置）に保持される。
【００３９】
図８に示すように、ロック部材７の突起部７２（図８のＡ）の下面は傾斜部７２ａが形成されている。突起部７２が上側係止凹部１１ｎに係止しているときには、突起部７２の傾斜部７２ａは、上側係止凹部１１ｎの開口下縁に当接している。
【００４０】
トレイ２を再度下位置に戻したいときには、トレイ２の底部２１を下方に押し込む。トレイ２に保持されているロック部材７には、下向きの押し込み荷重が加わる。下向きの押し込み荷重が、移動付勢部材５の上方向の付勢力を超え、更に、下向きの押し込み荷重の傾斜部７２ａに沿った方向の分力が、係止付勢部材６の傾斜部７２ａに沿った方向の分力を超えたときに、ロック部材７の突起部７２は、傾斜部７２ａに沿って図８の右方向（解除方向）に移動し、上側係止凹部１１ｎから離脱する。なお、突起部７２を解除方向に移動させ始めるときの押し込み荷重は、飲料容器の質量よりも大きいことがよい。上側係止凹部１１ｎから離脱すると、図８のＢに示すように、突起部７２はガイド溝１１ｊに沿って下方向に移動される。
【００４１】
突起部７２がガイド溝１１ｊの中を下側係止凹部１１ｍの位置まで下方に移動されると、係止付勢部材６の付勢力により、ロック部材７は図４の時計回り方向（係止方向）に回動されて、図８のＣに示すように、突起部７２は、下側係止凹部１１ｍに係止される。これにより、トレイ２は下位置に保持される。
【００４２】
以上のように、操作部材８の操作により突起部７２を下側係止凹部１１ｍ又は上側係止凹部１１ｎへの係止から解除する解除方向にロック部材７を回動させると、トレイ２が上下移動可能となり、トレイ２を下位置又は上位置に移動させることができる。簡素な構成でトレイ２の高さを調整することができる。
【００４３】
操作部材８は、操作されたときにロック部材７を解除方向に移動させるテーパ部８４を有する。操作部材８の操作により、操作部材８のテーパ部８４がロック部材７を解除方向に移動させ、ロック部材７の係止を円滑に解除することができる。
【００４４】
ロック部材７は、径方向外側に延びる突起部７２をもち、突起部７２が下側係止凹部１１ｍ又は上側係止凹部１１ｎに係止されることでトレイ２を下位置又は上位置に保持している。ロック部材７の突起部７２は、下側係止凹部１１ｍ又は上側係止凹部１１ｎに確実に係止される。トレイ２を下位置又は上位置に確実に保持することができる。
【００４５】
ロック部材７は、周方向に配列する複数の突起部７２をもち、ホルダ本体１の側壁１１ｄには、突起部７２に対向する位置にそれぞれガイド溝１１ｊ、下側係止凹部１１ｍ、及び上側係止凹部１１ｎが形成されている。複数の突起部７２がロック部材７の周方向に配列しており、各突起部７２がそれぞれ下側係止凹部１１ｍ又は上側係止凹部１１ｎに係止されることで、トレイ２をホルダ本体１に安定に保持することができる。
【００４６】
ホルダ本体１には、トレイ２の移動速度を緩和するダンパ装置１５が設けられている。ロック部材７が下側係止凹部１１ｍへの係止が解除されると、移動付勢部材５によりトレイ２が上昇する。このときのトレイ２の上昇速度がダンパ装置１５により緩和され、トレイ２上に載った飲料容器の倒れや飲料のこぼれが防止される。
【００４７】
操作部材８の操作部８１は、ホルダ本体１のフランジ部１４に形成された穴部１４ｂに進可能に配置されている。操作部８１の操作がしやすい。
【００４８】
（第２実施形態）
第２実施形態のカップホルダ１０は、図９、図１０に示すように、操作部材８の操作部８１が、ホルダ本体１の本体部１１の側壁１１ｄに形成された穴部１１ｕに進退可能に配設されている点が、第１実施形態と相違する。
【００４９】
図１０に示すように、操作部材８は、操作ノブ８５と、操作ケース８６と、支持軸８８と、ロッド部材８７とを有する。操作ノブ８５は、操作部８５ａと、操作部８５ａから径方向外側に突出するスライド部８５ｂと、スライド部８５ｂに形成され上下方向に貫通する嵌挿孔８５ｄと、スライド部８５ｂの嵌挿孔８５ｄを囲む両側面に形成された遊び穴８５ｃとを有する。操作部８５ａは、ホルダ本体１の側壁１１ｄに形成された穴部１１ｕに進退可能に配置されている。遊び穴８５ｃは、径方向外側に向かって上方向に傾斜するガイド穴である。操作ケース８６は、操作ノブ８５のスライド部８５ｂを進退可能に挿入するケース部８６ａと、ケース部８６ａの径方向外側を被覆する被覆部８６ｂと、ケース部８６ａの下方に延びる筒部８６ｃと、筒部８６ｃの両側面から突出する突起８６ｄとを有する。ケース部８６ａの両側壁には、上下方向に延びる長穴８６ｄが形成されている。ロッド部材８７は、長尺状の伝達部８２と、伝達部８２の上端に形成した支持穴８７ａと、伝達部８２の下方側に設けた作動部８３とを有する。
【００５０】
操作ノブ８５のスライド部８５ｂを操作ケース８６のケース部８６ａに収容する。更に、ロッド部材８７の上側の幅を狭くした連結部８７ｄを、操作ケース８６の筒部８６ｃから、ケース部８６ａに挿入したスライド部８５ｂに形成された嵌挿孔８５ｄに挿入する。スライド部８５ｂの上面には、連結部８７ｄの上端を進退可能に挿入する開口部８６ｅが形成されている。スライド部８５ｂの遊び穴８５ｃとケース部８６ａの長穴８６ｄとロッド部材８７の支持穴８７ａに支持軸８８を挿入する。抜け防止のために支持軸８８の両端に図略の止め輪を嵌める。これにより、操作ノブ８５、操作ケース８６、ロッド部材８７及び支持軸８８が一体化されて操作部材８が形成される。一体化された操作部材８をホルダ本体１に保持するために、操作ケース８６の筒部８６ｃの両側面に突出する突起８６ｆを、ホルダ本体１の穴部１１ｕの近傍直下に設けた一対の支持部１１ｖの止め穴１１ｗに嵌合させる。
【００５１】
ロッド部材８７の伝達部８２の下方側は、逆Ｌ字状に屈曲した形状をなし、その下方先端に作動部８３が設けられている。作動部８３は、第１実施形態と同様に、伝達部８２よりも径方向内側に突き出していて、作動部８３の側面には、周方向に向くテーパ部８４が形成されている。作動部８３は、ホルダ本体１の下側係止凹部１１ｍの近傍の径方向外側に配置されている。作動部８３に形成されたテーパ部８４は、上方向に向けて下側係止凹部１１ｍの奥から開口側、即ちガイド溝１１ｊに近づく方向に傾斜している。テーパ部８４は、操作部材８が操作されたときにロック部材７の下側係止凹部１１ｍから離脱させる。
【００５２】
図１０、図１１に示すように、伝達部８２の下端には、圧縮ばね９の上端を保持する座部８７ｂが形成されている。圧縮ばね９の下端は、ホルダ本体１の底部に形成した座部１１ｔに保持されている。圧縮ばね９は、操作部材８が下方に押されたときに操作部材８の下方向への移動を緩和している。
【００５３】
第２の実施形態において、操作部材８の上記の構成を除いて、第１の実施形態と同様である。
【００５４】
図１１に示すように、トレイ２が下位置に位置しているときには、ロック部材７の突起部７２がホルダ本体１の下側係止凹部１１ｍに係止されている。操作部材８のロッド部材８７は、圧縮ばね９により上側に付勢されている。ロッド部材８７の支持穴８７ａに挿入されている支持軸８８は、操作ケース８６の長穴８６ｄの上端に位置し、また操作ノブ８５のスライド部８５ｂの遊び穴８５ｃの上端に位置している。
【００５５】
操作ノブ８５の操作部８５ａを径方向外側に押しこむと、図１１の二点鎖に示すように、操作ノブ８５が径方向外側に移動される。操作ノブ８５のスライド部８５ｂに形成した遊び穴８５ｃの上端は径方向外側に位置し、径方向内側に向けて下方向に傾斜している。操作ノブ８５が径方向外側に移動されると、遊び穴８５ｃの上端に位置していた支持軸８８は、遊び穴の径方向内側であって下方向に向けてスライドする。これに伴い、支持軸８８は、操作ケース８６の長穴８６ｄを上端から下端に向けて移行する。ロッド部材８７は、下方向に移動される。
【００５６】
作動部８３の下方向への移動により、テーパ部８４がロック部材７の突起部７２に当たり、突起部７２をホルダ本体１の下側係止凹部１１ｍの係止状態を解除させる。トレイ２は、移動付勢部材５により常時上方向に付勢されている。突起部７２が下側係止凹部１１ｍから離脱すると、図１２に示すように、トレイ２に加わっている移動付勢部材５による上方への付勢力により、突起部７２をもつロック部材７は、トレイ２とともに、ガイド溝１１ｊに沿って上側に移動される。
【００５７】
操作部材８の操作部８１は、ホルダ本体１の本体部１１の側壁１１ｄの上側に形成された穴部１１ｕに進退可能に配置されている。収容空間１１ｃに飲料容器が収容されているときに操作部８１は飲料容器で隠れてしまい、操作しにくくなる。このため、飲料容器が収容されているときに、誤って操作部８１を操作することはなく、トレイ２の誤動作を防止できる。
【００５８】
第１、第２実施形態では、トレイ２下位置から上位置に向けて付勢する移動付勢部材５として、引っ張りコイルばねを用いたが、その他の引っ張りばねを用いてもよい。また、圧縮コイルばねなどの圧縮ばねを用いてもよい。圧縮コイルばねを用いる場合には、圧縮コイルばねの上端は、トレイ２の支柱壁２３の下端部に形成された座部に保持させ、圧縮コイルばねの下端は、ホルダ本体１の側壁１１ｄの下部から突出する座部に係止させるとよい。
【００５９】
第１、第２実施形態では、上側係止凹部１１ｎへのロック部材７の係止を解除するために、ロック部材７の突起部７２に形成した傾斜部７２ａを、上側係止凹部１１ｎの開口周縁に係止されている（図８）。しかし、このかわりに、トレイ２が上位置に位置しているとき係止方向と反対側の解除方向にロック部材７を回動させることでロック部材７の上側係止凹部１１ｎへの係止を解除する操作部材を設けてもよい。当該操作部材の構成は、ロック部材７の下側係止凹部１１ｍへの係止を解除する操作部材８と同様とすることができる。
【００６０】
第１、第２実施形態では、トレイ２が下位置に位置するときに、操作部材８の操作によりロック部材７の下側係止凹部１１ｍ（第１係止凹部）への係止を解除することで、移動付勢手段５の上方向への付勢力によりトレイ２を上位置に移動させたが、トレイ２が上位置に位置するときに、操作部材８の操作によりロック部材７の上側係止凹部１１ｎ（第２係止凹部）への係止を解除することで、移動付勢手段５の下方向への付勢力によりトレイ２を下位置に移動させてもよい。
【００６１】
また、ロック部材７をトレイ２と保持部材７８との間に介在させて保持させた。しかし、保持部材７８を用いることなく、ロック部材７をトレイ２の底部２１に回動可能に保持させてもよい。
【００６２】
ロック部材７を係止方向に付勢している係止付勢部材６は、トーションばねであるが、その他、薄板ばねを用いてもよい。
【００６３】
第１、第２実施形態では、ダンパ装置１５は、ホルダ本体１に固定し、ラック２４をトレイ２の支柱壁２３に形成した。しかし、ダンパ装置１５を支柱壁２３に固定し、ラック２４をホルダ本体１の側壁１１ｄの外面側に形成してもよい。また、ダンパ装置１５がなくてもよい。また、トレイ２には支柱壁２３を設けてガイド溝１１ｊを外側から被覆してガイド溝１１ｊから小物がホルダ本体１の外側に脱落することを防止しているが、支柱壁２３がなくてもよい。
【００６４】
ホルダ本体１の収容空間１１ｃは、１つの円筒部１１ｘと、円筒部１１ｘに隣接して取っ手を収容するための小空間１１ｙとを有している（図１）。収容空間１１ｃは、これに限られず、１つの円筒部１１ｘのみからなる形状であってもよいし、または、２つの円筒部１１ｘを隣合わせに形成してもよい。
【００６５】
ホルダ本体１の本体部１１の側壁１１ｄには、飲料容器の倒れを防止するためのサポート部材を進退可能に突設させてもよい。
【００６６】
本実施形態のカップホルダは、車両の室内部品として用いられる。本実施形態のカップホルダは、これに限られず、例えば、家庭用のイス、家具などにも取り付けることができる。
【符号の説明】
【００６７】
１：ホルダ本体、２：トレイ、３：高さ調整手段、５：移動付勢部材、６：係止付勢部材、７：ロック部材、８：操作部材、１０：カップホルダ、１１：ホルダ本体、１１ｄ：側壁、１１ｊ：ガイド溝、１１ｍ：下側係止凹部（第１係止凹部）、１１ｎ：上側係止凹部（第２係止凹部）、１１ｐ：溝側面、１５：ダンパ装置、２１：底部、２２：周壁、２３：支柱壁、２４：ラック、７２：突起部、７２ａ：傾斜部、８１：操作部、８２：伝達部、８３：可動部、８４：テーパ部
【図１】
2015136976.tif 000003
【図２】
2015136976.tif 000004
【図３】
2015136976.tif 000005
【図４】
2015136976.tif 000006
【図５】
2015136976.tif 000007
【図６】
2015136976.tif 000008
【図７】
2015136976.tif 000009
【図８】
2015136976.tif 000010
【図９】
2015136976.tif 000011
【図１０】
2015136976.tif 000012
【図１１】
2015136976.tif 000013
【図１２】
2015136976.tif 000014